(57)【要約】【課題】録画再生装置と通信可能な映像表示装置において，ユーザが，録画再生装置によって開始された予約録画の詳細な状況を容易に確認でき，さらに，その予約録画の録画条件の誤りを容易に訂正できること。【解決手段】映像表示装置Ｘが，録画再生装置Ｙから予約録画開始通知を受信した場合に，その予約録画による録画中データに基づくタイムシフト再生を行うことを録画再生装置Ｙに対して通信手段２ｘｂを通じて指示し，その指示に応じて録画再生装置Ｙから出力されるタイムシフト再生の映像信号を入力し，その映像信号に基づくタイムシフト再生映像を，録画条件とともに映像表示部５に表示させ，さらに，映像表示装置Ｘ側での操作に応じて，録画再生装置Ｙで実行中の予約録画の録画条件の設定及びその設定条件に変更することについての録画再生装置Ｙに対する指示行う。【選択図】図１
2008219584.tif 000002
【特許請求の範囲】
【請求項１】
映像表示部と，予約録画を行う機能及び録画中データに基づくタイムシフト再生を行う機能を備えた録画再生装置との間で通信を行う通信手段と，前記録画再生装置から映像信号を入力する映像信号入力手段とを備えた映像表示装置であって，
前記録画再生装置において前記予約録画が開始された旨を表す予約録画開始通知を前記録画再生装置から前記通信手段を通じて受信する予約録画開始通知受信手段と，
前記予約録画開始通知が受信された場合に，前記予約録画による録画中データに基づくタイムシフト再生を行うことを前記録画再生装置に対して前記通信手段を通じて指示するタイムシフト再生指示手段と，
前記タイムシフト再生指示手段による指示に応じて前記録画再生装置から前記タイムシフト再生により出力される映像信号を前記映像信号入力手段を通じて入力し，該映像信号に基づくタイムシフト再生映像を前記映像表示部に表示させるタイムシフト再生映像表示制御手段と，
を具備してなることを特徴とする映像表示装置。
【請求項２】
前記録画再生装置において実行中の前記予約録画の録画条件情報を前記通信手段を通じて取得し，該録画条件情報を前記映像表示部に表示させる録画条件表示制御手段を具備してなる請求項１に記載の映像表示装置。
【請求項３】
所定の操作部に対する操作に応じて，前記録画再生装置において実行中の前記予約録画の録画条件を設定する録画条件設定手段と，
前記録画再生装置において実行中の前記予約録画の録画条件を前記録画条件設定手段により設定された録画条件に変更することを，前記録画再生装置に対して前記通信手段を通じて指示する録画条件変更指示手段と，
を具備してなる請求項２に記載の映像表示装置。
【請求項４】
前記タイムシフト再生映像表示制御手段が，前記タイムシフト再生映像を前記映像表示部に既に表示中の映像と併せて表示させてなる請求項１〜３のいずれかに記載の映像表示装置。
【請求項５】
前記タイムシフト再生映像表示制御手段が，前記タイムシフト再生映像を前記映像表示部に既に表示中の映像から切り替えて表示させてなる請求項１〜３のいずれかに記載の映像表示装置。
【請求項６】
前記通信手段及び前記映像信号入力手段が，ＨＤＭＩ規格に準拠した信号伝送を行うものである請求項１〜５のいずれかに記載の映像表示装置。
【発明の詳細な説明】
【技術分野】
【０００１】
本発明は，録画再生装置と通信可能な映像表示装置に関するものである。
【背景技術】
【０００２】
昨今，テレビジョン受像機に代表される映像表示装置は，録画再生装置などの外部装置との間の信号伝送手段として，ＨＤＭＩインターフェースを備えるものが増えつつある。
ＨＤＭＩインターフェースは，例えば特許文献１に示されるように，テレビジョン受像機（映像表示装置の典型例）と録画再生装置やセットトップボックス（ＳＴＢ）との間で信号伝送を行う手段の１つであり，ＨＤＭＩ規格に準拠した信号伝送手段である。このＨＤＭＩインターフェースは，外観上１本にまとめられたケーブルによってデジタルの映像信号及び音声信号を同時に伝送でき，シンプルな配線と劣化のない信号伝送とを実現できる。ここで，ＨＤＭＩインターフェースは，符号化されていない（非圧縮の）映像信号及び音声信号を伝送（ベースバンド方式で伝送）するため，機器間における信号の符号化方式の違いに影響されず，拡張性及び永続性（将来，新たな符号化方式を採用する機器とも接続できる可能性）に優れている。
また，ＨＤＭＩ規格は，さらにその中でＣＥＣ（Consumer Electronics Control）規格が規定されており，ＨＤＭＩインターフェースは，そのＣＥＣ規格に準拠した信号伝送ライン（以下，ＣＥＣラインという）を内包した信号伝送手段として構成される。このＣＥＣラインを内包するＨＤＭＩインターフェースは，映像信号及び音声信号の伝送に加え，ＣＥＣラインを通じてその他の情報（制御情報など）を伝送することが可能である。なお，ＨＤＭＩインターフェースは，映像信号及び音声信号については一方向にのみ伝送可能であるが，ＣＥＣラインを通じた情報伝送は双方向で可能である。
そして，映像表示装置と録画再生装置とがＨＤＭＩインターフェースにより接続されている場合に，映像表示装置の映像表示部及び操作部（リモコンなど）をマンマシンインターフェースとすることにより，録画再生装置に関する情報の確認や動作指示を行うことができれば，ユーザにとって非常に便利である。
【０００３】
一方，録画再生装置は，通常，テレビジョン放送やインターネットを通じて取得される電子番組ガイド（ＥＰＧ）情報と，ユーザによる操作に従って設定される番組予約情報とに基づいて，放送番組の予約録画を行う予約録画機能を備えている。
また，昨今の録画再生装置は，ハードディスクやＤＶＤなどのランダムアクセス可能なデータ記録媒体に録画データ（デジタルデータ）を記録（録画）しつつ，その録画の終了を待たずに，その録画中データに基づく映像及び音声を再生するタイムシフト再生（いわゆる追っかけ再生）を行う機能を備えているものも多い。
ところで，録画生成装置のユーザが，予約録画により得られた録画データを再生するときになって初めて，録画条件の設定（放送チャンネルの設定や予約時刻の設定，記録メディア（ＨＤＤ又はＤＶＤ）の設定，画質設定など）に誤りがあったことに気付くことがある。
そのため，特許文献２には，ビデオカセットレコーダを内蔵するテレビジョン受像機において，録画開始時に録画映像（録画対象となっている映像）を一時的に子画面として表示させる技術について示されている。この特許文献１に示される技術によれば，ユーザは，予約録画開始の時点で録画状況を把握することができる。
【特許文献１】特開２００４−２０８２９０号公報
【特許文献２】特開平５−４１８３８号公報
【発明の開示】
【発明が解決しようとする課題】
【０００４】
しかしながら，特許文献２に示されるテレビジョン受像機（以下，従来装置という）の機能は，ユーザの意図どおりの録画が行われていることを確認し，必要に応じて録画条件を変更するための機能として不十分なものであった。
例えば，前記従来装置において，録画開始時に表示される録画映像が，実際に記録メディア（ビデオカセット）に記録（録画）した録画データに基づく再生映像ではないため，録画の画質設定（ノーマル，ハイクォリティなど）に誤りがあっても，その誤り（画質）を映像で確認できないという問題点があった。
また，前記従来装置において，録画の画質設定や記録メディアの設定など，録画対象である放送番組の映像以外の録画条件の誤りを確認できないという問題点もあった。
さらに，前記従来装置において，録画条件の誤りがある場合には，録画の中止操作及び録画条件を一から新たに設定する操作が必要となり，その操作が煩雑であるという問題点もあった。
従って，本発明は上記事情に鑑みてなされたものであり，その目的とするところは，録画再生装置と通信可能な映像表示装置において，ユーザが，録画再生装置によって開始された予約録画の詳細な状況を容易に確認でき，さらに，その予約録画の録画条件の誤りを容易に訂正できる映像表示装置を提供することにある。
【課題を解決するための手段】
【０００５】
上記目的を達成するために本発明に係る映像表示装置は，映像表示部と，予約録画を行う機能及び録画中データに基づくタイムシフト再生を行う機能を備えた録画再生装置との間で通信を行う通信手段と，前記録画再生装置から映像信号を入力する映像信号入力手段とを備え，さらに，次の（１）〜（３）に示す各構成要素を備える。
（１）前記録画再生装置において前記予約録画が開始された旨を表す予約録画開始通知を前記録画再生装置から前記通信手段を通じて受信する予約録画開始通知受信手段。
（２）前記予約録画開始通知が受信された場合に，前記予約録画による録画中データに基づくタイムシフト再生を行うことを前記録画再生装置に対して前記通信手段を通じて指示するタイムシフト再生指示手段。
（３）前記タイムシフト再生指示手段による指示に応じて前記録画再生装置から前記タイムシフト再生により出力される映像信号を前記映像信号入力手段を通じて入力し，その映像信号に基づく映像（以下，タイムシフト再生映像という）を前記映像表示部に表示させるタイムシフト再生映像表示制御手段。
なお，前記通信手段及び前記映像信号入力手段の典型例は，ＨＤＭＩ規格に準拠した信号伝送を行う通信手段及び映像信号入力手段である。ここで，ＨＤＭＩ規格に準拠した通信手段とは，ＣＥＣ規格に準拠した信号伝送手段のことを意味する。
【０００６】
本発明に係る映像表示装置は，録画再生装置において予約録画が開始された場合に，実際に記録メディア（ＨＤＤやＤＶＤ）に記録（録画）された録画データに基づく再生映像を前記映像表示部に表示させるので，録画対象（番組）の正誤に加え，録画の画質設定の正誤についても表示映像に基づいて容易に確認できる。
また，本発明に係る映像表示装置が，次の（４）に示す構成要素をさらに備えればなお好適である。
（４）前記録画再生装置において実行中の前記予約録画の録画条件情報を前記通信手段を通じて取得し，その録画条件情報を前記映像表示部に表示させる録画条件表示制御手段。
これにより，ユーザは，録画の画質設定や記録メディアの設定など，録画対象である放送番組の映像以外の録画条件の誤りを容易に確認できる。
また，本発明に係る映像表示装置が，次の（５）及び（６）に示す各構成要素をさらに備えればなお好適である。
（５）所定の操作部に対する操作に応じて，前記録画再生装置において実行中の前記予約録画の録画条件を設定する録画条件設定手段。
（６）前記録画再生装置において実行中の前記予約録画の録画条件を前記録画条件設定手段により設定された録画条件に変更することを，前記録画再生装置に対して前記通信手段を通じて指示する録画条件変更指示手段。
これにより，ユーザは，表示された前記録画条件情報の確認によって設定の誤りを発見した場合に，前記録画再生装置に対して録画の中止操作や録画条件を一から新たに設定する操作を行わなくても，当該映像表示装置に対する操作によって簡易に録画条件を訂正することができる。
【０００７】
また，前記タイムシフト再生映像表示制御手段が実行する処理の具体例としては，次の（７）又は（８）に示す処理が考えられる。
（７）前記タイムシフト再生映像を前記映像表示部に既に表示中の映像と併せて表示させる処理。
（８）前記タイムシフト再生映像を前記映像表示部に既に表示中の映像から切り替えて表示させる処理。
【発明の効果】
【０００８】
本発明に係る映像表示装置は，録画再生装置において予約した録画が開始されたときに，その録画データの再生映像（前記タイムシフト再生画像）を自動的に映像表示部に表示させる。これにより，ユーザは，録画対象の正誤（意図した番組が録画されているか否か）に加え，録画の画質設定の正誤（意図した画質で録画されているか否か）という録画状況の詳細についても表示映像に基づいて容易に確認できる。
また，本発明に係る映像表示装置が，さらに前記録画条件表示制御手段を備えれば，ユーザは，録画の画質設定や記録メディアの設定など，録画対象である放送番組の映像以外の録画条件の正誤を容易に確認できる。
また，本発明に係る映像表示装置が，さらに前記録画条件設定手段及び前記録画条件変更指示手段を備えれば，ユーザは，録画条件の設定の誤りを発見した場合に，当該映像表示装置に対する操作によって（即ち，当該映像表示装置の映像表示部及び操作部をマンマシンインターフェースとすることによって）簡易に録画条件を訂正することができる。
【発明を実施するための最良の形態】
【０００９】
以下添付図面を参照しながら，本発明の実施の形態について説明し，本発明の理解に供する。なお，以下の実施の形態は，本発明を具体化した一例であって，本発明の技術的範囲を限定する性格のものではない。
ここに，図１は本発明の実施形態に係る映像表示装置の一例であるテレビジョン受像機Ｘを含むＡＶシステムＺの概略構成を表すブロック図，図２はＡＶシステムＺにおける録画内容確認・変更処理の手順を表すフローチャート，図３はテレビジョン受像機Ｘにおける映像表示部の表示画面の一例を表す図である。
【００１０】
まず，図１に示すブロック図を参照しつつ，本発明の実施形態に係る映像表示装置の一例であるテレビジョン受像機Ｘと録画再生装置Ｙとを含むＡＶシステムＺの構成について説明する。
ＡＶシステムＺは，映像表示部５を備えるテレビジョン受像機Ｘと予約録画機能及びタイムシフト再生機能を備える複数（図１では２台）の録画再生装置Ｙとが，ＨＤＭＩ規格に準拠した信号伝送手段であるＨＤＭＩインターフェースＷによって通信可能に構成されたシステムである。ここで，ＨＤＭＩインターフェースＷは，映像信号及び音声信号（いずれもデジタル信号）を伝送するＴＭＤＳ（Transition Minimized Differential Signaling）ライン４１と，ＨＤＭＩ規格のオプション規格であるＣＥＣ規格に準拠したＣＥＣライン４２（ＣＥＣ信号伝送ラインに相当）を含んでいる。なお，ＴＭＤＳライン４１は，複数本の信号ラインにより構成され，ＴＭＤＳライン４１及びＣＥＣライン４２は，見かけ上１本のＨＤＭＩケーブル４０として構成されている。
ＡＶシステムＺの特徴は，録画再生装置Ｙが予約録画を開始した場合に，その録画再生装置Ｙが録画中データに基づくタイムシフト再生を行い，他方，テレビジョン受像機Ｘが，そのタイムシフト再生による再生映像を映像表示部５に表示させることである。さらに，テレビジョン受像機Ｘは，当該テレビジョン受像機Ｘに対する操作に応じて，録画再生装置Ｙに対して実行中の録画処理における録画条件を変更させる機能も備えている。以下，ＡＶシステムＺにより実行される前記タイムシフト再生による再生映像の表示，及び前記録画条件の変更に関する処理を録画内容確認・変更処理という。その詳細については後述する。
【００１１】
［テレビジョン受像機Ｘ］
本発明の実施形態に係るテレビジョン受像機Ｘは，図１に示すように，チューナ１，２つのＨＤＭＩ受信部２ｘａ，２ｙａ，ＣＥＣインターフェース２ｘｂ，映像切替回路３，映像処理回路４，映像表示部５，制御回路６，リモコンインターフェース（Ｉ／Ｆ）回路７，リモコン８，サブＭＰＵ９，音声切替回路１０，音声処理回路１１，アンプ１２及びスピーカ１３等を具備して構成されている。
【００１２】
チューナ１は，地上波放送信号やＢＳ衛星放送信号等の放送信号から，前記制御回路６により指示される放送チャンネルの信号を抽出（選局）するとともに，その抽出信号の検波によって映像信号及び音声信号を取り出し，その映像信号及び音声信号の各々を映像切替回路３及び音声切替回路１０各々へ伝送するものである。
また，ＨＤＭＩ受信部２ｘａ，２ｙａ（図中，ＨＤＭＩ−ＲＸと表記）は，ＨＤＭＩ規格に準拠した信号伝送インターフェースである（前記映像信号入力手段の一例）。このＨＤＭＩ受信部２ｘａ，２ｙａは，ＴＭＤＳライン４１を通じて，外部装置（ここでは，録画再生装置Ｙ）からベースバンド方式で映像信号及び音声信号を入力し，それらを映像切替回路３及び音声切替回路１０各々へ伝送する。
ＣＥＣインターフェース２ｘｂ（通信手段の一例）は，ＨＤＭＩ規格におけるＣＥＣ規格に準拠した信号伝送インターフェースである。このＣＥＣインターフェース２ｘｂは，ＣＥＣライン４２を通じて，外部装置（ここでは，録画再生装置Ｙ）との間で情報の送受信を行う。ＣＥＣインターフェース２ｘｂの受信情報の直接の伝送先及び送信情報の直接の供給元は，サブＭＰＵ９である。
図１に示す例では，テレビジョン受像機Ｘは，２台の録画再生装置Ｚ（外部装置）それぞれに対応する２つのＨＤＭＩ受信部２ｘａ，２ｙａを備えている。また，ＣＥＣインターフェース２ｘｂは，２台の録画再生装置Ｚに対して１つだけ設けられている。
映像切替回路３は，チューナ１及びＨＤＭＩ受信部２ｘａ，２ｙａからの映像信号を入力し，それらの映像信号のうちの任意の１つの映像信号を制御回路６からの指示に従って選択して出力するものである。
映像処理回路４は，映像切替回路３から出力された映像信号に対して各種信号処理を行うものである。
例えば，映像処理回路４は，ＯＳＤ機能やマルチ画面出力機能を備えている。
前記ＯＳＤ機能は，映像切替回路３からの映像信号に基づく映像に，制御回路６から指定された情報の映像をスーパーインポーズ（重ね合わせ）して前記映像表示部５に表示させる機能である。また，前記マルチ画面出力機能は，映像切替回路３から複数の映像信号が伝送されてきた場合に，各映像信号に基づく複数の映像（画面）を前記映像表示部５に並べて表示させる機能である。
映像表示部５は，液晶パネル及び液晶ドライバを備えた液晶表示部などにより構成され，映像処理回路４から出力される映像信号に基づく映像を表示するものである。
【００１３】
音声切替回路１０は，チューナ１からの音声信号及びＨＤＭＩ受信部２ｘａ，２ｙａからの音声信号が入力され，それらの音声信号のうちの任意の１つの音声信号を，制御回路６からの指示に従って音声処理回路１１に出力するものである。
音声処理回路１１は，音声切替回路１０から出力された信号に対し，イコライズ処理やＤ／Ａ変換処理等を行うものである。
アンプ１２は，音声処理回路１１による処理後の音声信号を，制御回路６からの指示に従って増幅或いは減衰させる処理（ボリューム調節処理）を行い，スピーカ１３に出力するものである。
【００１４】
制御回路６は，演算手段であるＭＰＵ６ａ，そのＭＰＵ６ａによって実行される制御プログラムが予め格納される記憶手段であるＲＯＭ６ｂ（ＥＰＲＯＭ），ＭＰＵ６ａが実行する処理において読み書きされる各種情報を記憶するＥＥＰＲＯＭ６ｃ等を備え，当該テレビジョン受像機Ｘ全体を制御するものである。以下に示す制御回路６の処理や機能は，ＭＰＵ６ａがＲＯＭ６ｂに記憶されたプログラムを実行することによって実現される。
リモコン８は，当該テレビジョン受像機Ｘの動作の制御用の無線信号（例えば，赤外線信号）を出力するリモート操作器であり，不図示の操作入力部や無線信号出力回路等を備えている。
前記操作入力部は，チャンネル選択キーや音量調節キーなど，情報入力のための操作部であり，その操作内容に応じた信号が前記無線信号出力回路に伝送される。また，前記無線信号出力回路は，前記操作入力部から伝送されてくる信号（即ち，テレビジョン受像機Ｘの動作の制御信号）を，無線信号（例えば，赤外線信号）に変換し，当該リモコン８からテレビ本体側へ無線伝送するものである。
一方，リモコンインターフェース回路７は，リモコン８から伝送される無線信号（赤外線信号等）を受信し，これを電気信号に変換することにより，リモコン８から伝送される各種情報を取得するとともに，その取得情報をサブＭＰＵ９に伝送するものである。
サブＭＰＵ９は，制御回路６と，リモコンインターフェース回路７及びＣＥＣインターフェース２ｘｂとの間で情報伝送を中継する処理を実行するマイクロコンピュータである。
【００１５】
［録画再生装置Ｙ］
本発明の実施形態に係る録画再生装置Ｙは，図１に示すように，チューナ２１，録画・再生回路２２，ＨＤＤ２３ａ（ハードディスクドライブ），ＤＶＤドライブ２３ｂ，ＨＤＭＩ送信部２５ａ，ＣＥＣインターフェース２５ｂ，制御回路２４，リモコンインターフェース回路２６，リモコン２７及びサブＭＰＵ２８等を具備して構成されている。
ここで，チューナ２１，リモコンインターフェース回路２６，リモコン２７，サブＭＰＵ２８は，それぞれテレビジョン受像機Ｘにおけるチューナ１，リモコンインターフェース７，リモコン８及びサブＭＰＵ９と同様のものである。
【００１６】
録画・再生回路２２は，放送番組の録画処理及び録画番組の再生処理を実行するものである。即ち，録画・再生回路２２は，チューナ２１により抽出された番組の放送信号（映像信号及び音声信号）を圧縮符号化してＨＤＤ２３ａのディスク（ハードディスク）又はＤＶＤドライブ２３ｂのディスク（ＤＶＤ）に記録する録画処理を実行する。さらに，録画・再生回路２２は，ＨＤＤ２３ａ又はＤＶＤドライブ２３ｂのディスクに録画（記録）された放送番組のデータを復号化しながらＨＤＭＩ送信部２５ａを通じて外部出力する再生処理を実行する。
さらに，録画・再生回路２２は，チューナ２１により抽出された番組の放送信号から，そこに含まれるＥＰＧ情報（電子番組ガイド情報）を抽出してＨＤＤ２３ａに記録するＥＰＧ取得機能も備えている。
ＨＤＭＩ送信部２５ａ（図中，ＨＤＭＩ−ＴＸと表記）は，ＨＤＭＩ規格に準拠した信号伝送インターフェースである。このＨＤＭＩ送信部２５ａは，ＴＭＤＳライン４１を通じて，外部装置（ここでは，テレビジョン受像機Ｘ）に対し，ベースバンド方式で映像信号及び音声信号を出力する。
ＣＥＣインターフェース２５ｂは，テレビジョン受像機ＸにおけるＣＥＣインターフェース２ｘｂと同様に，ＨＤＭＩ規格におけるＣＥＣ規格に準拠した信号伝送インターフェースである。このＣＥＣインターフェース２５ｂは，ＣＥＣライン４２を通じて，外部装置（ここでは，テレビジョン受像機Ｘ）との間で情報の送受信を行う。ＣＥＣインターフェース２５ｂの受信情報の直接の伝送先及び送信情報の直接の供給元は，サブＭＰＵ２８である。
【００１７】
制御回路２４は，演算手段であるＭＰＵ２４ａ，そのＭＰＵ２４ａによって実行される制御プログラムが予め格納される記憶手段であるＲＯＭ２４ｂ（ＥＰＲＯＭ），ＭＰＵ２４ａが実行する処理において読み書きされる各種情報を記憶するＥＥＰＲＯＭ２４ｃ等を備え，当該録画再生装置Ｙ全体を制御するものである。以下に示す制御回路２４の処理や機能は，ＭＰＵ２４ａがＲＯＭ２４ｂに記憶されたプログラムを実行することによって実現される。
また，録画再生装置Ｙの制御回路２４は，録画・再生回路２２によってＨＤＤ２３ａのディスクに記録されたＥＰＧ情報と，同じく予めＨＤＤ２３ａに記録される番組予約情報とに基づいて，放送番組（映像及び音声）の予約録画を行う予約録画機能を有している。ここで，番組予約情報は，制御回路２４がリモコン２７を通じた操作入力に従って予め設定し，ＨＤＤ２３ａのディスクに記録する情報である。番組予約情報には，録画開始時刻，録画終了時刻，録画する番組の放送チャンネル及びタイトル等が含まれる。なお，予約録画機能は周知の機能であるので，ここでは詳細な説明は省略する。
また，制御回路２４は，ＨＤＤ２３ａにおける録画データの記録先（保存先）である１つ又は複数のフォルダ（以下，保存フォルダという）を設定するフォルダ設定機能も有している。
これにより，制御回路２４は，前記番組予約情報において録画先のフォルダが指定されている場合に，録画データをその指定されたフォルダ内に記録する。
【００１８】
次に，図２に示すフローチャートを参照しつつ，ＡＶシステムＺにおける前記録画内容確認・変更処理の手順について説明する。
ここで，図２に示す処理は，ユーザによるリモコン８の電源ＯＮ操作等によりテレビジョン受像機Ｘが起動された後，前記映像表示部５に放送番組の映像が表示されている場合に開始されるものとする。また，以下に示すＳ１０１，Ｓ１０２，…は，処理手順（ステップ）の識別符号を表す。
前記録画内容確認・変更処理は，テレビジョン受像機Ｘと録画再生装置Ｙとが，ＨＤＭＩインターフェースＷを通じて情報の授受を行いつつ実行する処理である。以下，先にテレビジョン受像機Ｘ側の処理について説明し，続けて録画再生装置Ｙ側の処理について説明する。
【００１９】
まず，前記録画内容確認・変更処理におけるテレビジョン受像機Ｘ側の処理について説明する。
［ステップＳ１０１］
テレビジョン受像機Ｘにおいて，まず，制御回路６は，所定の予約録画開始通知と，その予約録画の録画条件情報とを，いずれかの録画再生装置Ｙから前記ＣＥＣインターフェース２ｘｂを通じて受信する処理を実行する（Ｓ１０１：前記予約録画開始通知受信手段及びの一例）。ここで，前記予約録画開始通知は，録画再生装置Ｙにおいて予約録画が開始された場合に，その録画再生装置Ｙが当該テレビジョン受像機Ｘに対して送信する通知（予約録画が開始された旨を表す通知）である。また，前記録画条件情報は，録画再生装置Ｙにおいて開始された予約録画処理の実行条件を表す情報であり，例えば，録画対象の放送チャンネルや録画先，録画の画質（ノーマルかハイクォリティか）などに関する情報である。なお，本実施形態において，前記録画先の区分は，記録メディア（ＨＤＤ２３ａ又はＤＶＤドライブ２３ｂのディスク）の区分と，その記録メディアがハードディスクである場合には，さらにフォルダの区分とが存在する。
【００２０】
［ステップＳ１０２］
そして，前記制御回路６は，前記予約録画開始通知及びその予約録画の録画条件情報を，いずれかの録画再生装置Ｙから受信した場合，その録画再生装置Ｙに対し，その録画再生装置で実行している予約録画による録画中データに基づいてタイムシフト再生処理を実行することを前記ＣＥＣインターフェース２ｘｂを通じて指示する（Ｓ１０２：前記タイムシフト再生指示手段の一例）。前記タイムシフト再生処理は，録画再生装置Ｙが，ＨＤＤ２３ａ又はＤＶＤドライブ２３ｂのディスクに録画データを記録（録画）しつつ，その録画中データに基づく再生信号（映像信号）を前記ＨＤＭＩ送信部２５ａを通じて出力する処理である。
【００２１】
［ステップＳ１０３］
次に，前記映像処理回路４は，前記制御回路６からの指示（制御指令）に従って，前記ＨＤＭＩ受信部２ｘａ又は２ｙａを通じて映像信号を入力し，その映像信号と，その時点で表示対象として前記チューナ１を通じて入力している映像信号と，ステップＳ１０１で受信された前記録画条件情報とに基づいて録画内容確認・設定画面の映像信号を生成し，その映像を前記映像表示部５に表示させる（Ｓ１０３：前記タイムシフト再生映像表示制御手段の一例）。このステップ１０３において，前記ＨＤＭＩ受信部２ｘａ又は２ｙａを通じて入力される映像信号は，ステップＳ１０２におけるタイムシフト再生処理の指示に応じて，前記録画再生装置Ｙから前記タイムシフト再生処理によって出力される映像信号（以下，タイムシフト再生信号という）である。また，前記録画内容確認・設定画面には，前記タイムシフト再生信号に基づく映像（以下，タイムシフト再生映像という）と，ステップＳ１０１で受信された前記録画条件情報を表す映像とが含まれる。
なお，前記制御回路６は，ステップＳ１０３において，前記予約録画開始通知（Ｓ１０１）に基づいてその送信元を判別し，その送信元が出力する映像信号と，チューナ１から出力される映像信号とが前記映像処理回路４に入力されるよう，前記映像切替回路３を制御する。
【００２２】
図３は，前記映像表示部５の表示画面の一例を表す図である。ここで，図３（ａ）は，ステップＳ１０３の処理が実行される直前の画面の例，図３（ｂ）は，ステップＳ１０３の処理により表示される前記録画内容確認・設定画面の例である。
図３（ｂ）に示すように，前記録画内容確認・設定画面の表示内容には，ステップＳ１０３の処理の開始直前に既に表示中の映像ｖ０（前記チューナ１の出力信号に基づく映像）と，前記タイムシフト再生映像ｖ１と，ステップＳ１０１で受信された前記録画条件情報ｄ１〜ｄ３と，前記タイムシフト再生映像ｖ１の出力元（即ち，前記予約録画開始通知の送信元）である録画再生装置Ｙの識別情報ｄ４とが含まれる。また，図３（ｂ）に示す例では，前記録画条件情報に，録画対象である放送チャンネルの情報ｄ１と，録画先の情報ｄ２と，録画の画質の情報ｄ３とが含まれる。
このように，前記映像処理回路４（前記タイムシフト再生映像表示制御手段の一例）は，前記タイムシフト再生映像ｖ１を前記映像表示部５に既に表示中の映像ｖ０と併せて表示させる。前記録画内容確認・設定画面を確認することにより，ユーザは，予約録画における録画対象（番組）の正誤に加え，録画の画質設定の正誤についても前記タイムシフト再生映像ｖ１に基づいて容易に確認できる。
なお，図３（ｂ）に示す前記録画内容確認・設定画面の例は，前記タイムシフト再生映像ｖ１を，前記映像表示部５に既に表示中の映像ｖ０と併せて表示させる画面（マルチ画面）であるが，前記映像処理回路４が，前記タイムシフト再生映像ｖ１を含む画面を，前記映像表示部５に既に表示中の映像ｖ０の画面から切り替えて表示させることも考えられる。
【００２３】
また，テレビジョン受像機Ｘにおいて，前記制御回路６が，録画再生装置Ｙにおいて実行中の予約録画の録画条件情報ｄ１〜ｄ３を前記ＨＤＭＩ受信部２ｘａ又は２ｙａを通じて取得し（Ｓ１０１），前記映像処理回路４が，その録画条件情報ｄ１〜ｄ３を前記映像表示部５に表示させる（Ｓ１０３）。なお，前記制御回路６及び前記映像処理回路４が，前記録画条件表示制御手段の一例である。
これにより，ユーザは，録画の画質ｄ３設定や録画先ｄ３の設定など，録画対象である放送番組の映像以外の録画条件ｄ１〜ｄ３の誤りを容易に確認できる。
また，録画再生装置Ｙの識別情報ｄ４が表示されるので，録画再生装置Ｙが複数存在する場合でも，ユーザは，いずれの装置で予約録画が開始されたのかを容易に把握できる。
【００２４】
［ステップＳ１０４〜Ｓ１０６］
そして，前記制御回路６は，前記映像処理回路４によって前記録画内容確認・設定画面が表示された状態において，前記リモコンインターフェース回路７の受信情報を監視することにより，前記リモコン８（操作部）を通じて所定の録画条件設定操作，録画中止操作及び表示終了操作のいずれかがなされたか否かの検知（Ｓ１０４〜Ｓ１０６），及び前記録画内容確認・設定画面を表示させてから所定時間（予め定められた時間）が経過したか否かの検知（Ｓ１０６）を行い，そのいずれかを検知するまでステップＳ１０４〜Ｓ１０６の処理を繰り返す。以下，このステップＳ１０４〜Ｓ１０６の処理の具体例について説明する。
図３（ｂ）に示したように，前記映像処理回路４は，前記録画内容確認・設定画面に条件変更ボタンｂｔ１，録画中止ボタンｂｔ２及び表示終了ボタンｂｔ３を含めて表示させる。
そして，前記制御回路６は，前記リモコン８を通じた操作に応じて，前記録画内容確認・設定画面に表示されている各録画条件情報ｄ１〜ｄ３及び各ボタンｂｔ１〜ｂｔ３のいずれかを選択する処理を実行する。ここで，前記条件変更ボタンｂｔ１を選択する操作が前記録画条件設定操作，前記録画中止ボタンｂｔ２を選択する操作が前記録画中止操作，前記表示終了ボタンｂｔ３を選択する操作が前記終了操作に相当する。
【００２５】
［Ｓ１０９，Ｓ１１０］
前記制御回路６は，前記録画条件設定操作がなされたことを検知した場合，前記リモコン８（操作部）に対する操作に応じて，録画再生装置Ｙにおいて実行中の予約録画の録画条件を設定する録画条件設定処理を実行する（Ｓ１０９：前記録画条件設定手段の一例）。
このステップＳ１０９において，例えば，前記制御回路６は，前記リモコン８を通じた操作（例えば，カーソル移動キーの操作など）に従って，前記録画内容確認・設定画面に表示されている各録画条件情報ｄ１〜ｄ３のいずれかを選択する処理を実行する。さらに，前記制御回路６は，前記録画条件情報ｄ１〜ｄ３のいずれかを選択した場合，さらに，前記映像処理回路４を制御することにより，選択した前記録画条件情報の設定内容の候補をリスト表示（例えば，プルダウン表示）させ，そのリストの中から新たな設定内容（録画条件）を前記リモコン８を通じた操作に従って選択（設定）する。なお，前記制御回路６は，前記録画条件情報の設定内容の候補を，例えばステップＳ１０１において，前記ＣＥＣインターフェース２ｘｂを通じて録画再生装置Ｙから取得する。
さらに，前記制御回路６は，前記リモコン８に対する設定確定操作を検知すると，録画再生装置Ｙにおいて実行中の予約録画の録画条件を，ステップＳ１０９で新たに設定した録画条件に変更することを，前記ＣＥＣインターフェース２ｘｂを通じて録画再生装置Ｙに対して指示する（Ｓ１１０：前記録画条件変更指示手段の一例）。その際，前記制御回路６は，所定の指示コマンドと，ステップＳ１０９で新たに設定した録画条件とを録画再生装置Ｙに送信する。これにより，録画再生装置Ｙにおいて，録画条件の変更処理がなされる。
そして，ステップＳ１１０の処理の終了後，前記制御回路６は，前述したステップＳ１０１へ処理を戻す。
このステップＳ１０９，Ｓ１１０の処理により，ユーザは，表示された前記録画条件情報ｄ１〜ｄ３の確認によって設定の誤りを発見した場合に，録画再生装置Ｙに対して録画の中止操作や録画条件を一から新たに設定する操作を行わなくても，当該テレビジョン受像機Ｘのリモコン８に対する操作によって簡易に録画条件を訂正することができる。
【００２６】
［Ｓ１０７，Ｓ１０８］
また，前記制御回路６は，前記録画中止操作がなされたことを検知した場合，前記ＣＥＣインターフェース２ｘｂを通じて，予約録画を実行中の録画再生装置Ｙに対してその録画処理の中止を指示し（Ｓ１１１），その後，処理を後述するステップＳ１０８へ移行させる。
また，前記制御回路６は，前記終了操作がなされたこと，又は，前記録画内容確認・設定画面を表示させてから所定時間が経過したことを検知すると，前記タイムシフト再生処理を終了させることを，前記ＣＥＣインターフェース２ｘｂを通じて録画再生装置Ｙに対して指示する（Ｓ１０７）。これにより，録画再生装置Ｙは，前記タイムシフト再生処理を終了させる。
さらに，前記映像処理回路４が，前記制御回路６による制御に従って，前記映像表示部５の表示状態を前記録画内容確認・設定画面を表示する前の元の表示状態に戻す（Ｓ１０８）。これにより，前記映像表示部５の表示状態が，例えば，図３（ｂ）に示す状態から図３（ａ）に示す状態へ戻る。その後，前記制御回路６は，処理を前述したステップＳ１０１へ戻す。
このように，前記映像処理回路４は，前記タイムシフト再生映像ｖ１を一時的に前記映像表示部５に表示させる。
以上の処理が，前記録画内容確認・設定処理におけるテレビジョン受像機Ｘ側の処理である。
【００２７】
次に，前記録画内容確認・設定処理における録画再生装置Ｙ側の処理について説明する。
［ステップＳ２０１〜Ｓ２０３］
録画再生装置Ｙ側では，まず，前記制御回路２４が，予約時刻（予約録画の開始時刻）になったか否かを監視する（Ｓ２０１）。具体的には，前記制御回路２４は，不図示の時刻計時回路による計時時刻が，前記ＨＤＤ２３ａのディスクに予め記憶された前記番組予約情報に含まれる録画開始時刻（録画未実行のもの）に至っている場合に，前記予約時刻になったと判別する。
そして，前記制御回路２４は，前記予約時刻になったと判別した場合，前記録画・再生回路２２が，前記制御回路２４による制御に従って，該当する予約録画を開始する（Ｓ２０２）。以後，録画・再生回路２２は，前記番組予約情報に含まれる録画終了時刻になるまで録画処理を継続する。
さらに，前記制御回路２４は，前記予約録画開始通知と，その予約録画の録画条件情報とを，前記ＣＥＣインターフェース２５ｂを通じてテレビジョン受像機Ｘに対して送信する（Ｓ２０３）。このステップＳ２０３で送信される情報が，前述したステップＳ１０１でテレビジョン受像機Ｘにより受信される情報である。なお，前記録画条件情報は，前記番組予約情報に含まれる情報である。また，前記制御回路２４は，例えばこのステップＳ２０３において，前記録画条件情報の設定内容の候補を，前記ＣＥＣインターフェース２５ｂを通じてテレビジョン受像機Ｘに対して送信する。
【００２８】
［ステップＳ２０４，Ｓ２０５］
次に，前記制御回路２４は，前記予約録画開始通知の送信後，所定時間内にテレビジョン受像機Ｘから前記タイムシフト再生処理の指示（Ｓ１０２）があるか否かを監視し（Ｓ２０４），その指示があった場合，前記録画・再生回路２２が，前記制御回路２４による制御に従って前記タイムシフト再生処理を開始する（Ｓ２０５）。これにより，予約録画による録画中データに基づく再生信号（映像信号）が，前記ＨＤＭＩ送信部２５ａ及びＴＭＤＳライン４１を通じてテレビジョン受像機Ｘ側へ伝送される。
【００２９】
［ステップＳ２０６〜Ｓ２０８］
そして，前記制御回路２４は，前記タイムシフト再生処理の開始後，前記ＣＥＣインターフェース２５ｂを通じた情報の受信状況を監視することにより，テレビジョン受像機Ｘから前記録画条件の変更の指示（Ｓ１１０の処理），録画処理の中止の指示（Ｓ１１１の処理）及び前記タイムシフト再生処理の終了の指示（Ｓ１０７の処理）のいずれかがなされるか否かを判別し（Ｓ２０６〜Ｓ２０８），そのいずれかの指示がなされるまでステップＳ２０６〜Ｓ２０８の処理を繰り返す。
【００３０】
［ステップＳ２１１］
前記制御回路２４は，前記録画条件の変更の指示があったと判別（Ｓ２０６）した場合，その指示に従って現在実行中の予約録画の処理について，その録画条件を変更し（Ｓ２１１），その上で，処理を前述したステップＳ２０１へ戻す。具体的には，前記制御回路２４は，テレビジョン受像機ＸからＣＥＣライン４２を通じて伝送されてくる前記録画条件の設定内容（録画対象の放送チャンネルや録画先，録画の画質など）に従って，前記ＨＤＤ２３ａのディスクに記憶されている前記番組予約情報を更新する。これにより，前記制御回路２４は，更新後の新たな前記番組予約情報に基づいて，前述したステップＳ２０１以降の処理を実行する。
【００３１】
［ステップＳ２１２，Ｓ２１０］
また，前記制御回路２４は，前記録画処理の中止の指示があったと判別（Ｓ２０７）した場合，録画・再生回路２２に対し，実行中の予約録画の処理を中止させ（Ｓ２１２），その後，処理を前述したステップＳ２０１へ戻す。なお，前記制御回路２４は，中止した予約録画に関する情報を前記ＨＤＤ２３ａのディスクから削除する。
また，前記制御回路２４は，前記タイムシフト再生処理の終了の指示があったと判別（Ｓ２０８）した場合，前記録画・再生回路２２が，予約録画の処理を継続しつつ，前記タイムシフト再生処理を終了させる（Ｓ２０９）。
そして，前記制御回路２４がステップＳ２０４において所定時間内に前記タイムシフト再生処理の指示を受けなかった場合，又はステップＳ２０９の処理の終了後，前記録画・再生回路２２が，その時点で実行中の予約録画の処理を，録画終了時刻まで継続する（Ｓ２１０）。その後，前記制御回路２４は，処理を前述したステップＳ２０１へ戻す。なお，前記制御回路２４は，予約録画が終了した時点で，前記番組予約情報における終了した予約録画に関する情報について録画済みフラグ（既録画を表す情報）を設定する。この録画済みフラグが設定された予約録画に関する情報は，ステップＳ２０１での参照対象から除外される。
【００３２】
以上に示したように，テレビジョン受像機Ｘは，録画再生装置Ｙにおいて予約した録画が開始された（Ｓ２０２）ときに，その録画データの再生映像（前記タイムシフト再生画像ｖ１）を自動的に前記映像表示部５に表示させる（Ｓ１０３）。これにより，ユーザは，録画対象の正誤（意図した番組が録画されているか否か）に加え，実際に録画された録画データに基づく再生映像の画質の状況についても表示映像に基づいて容易に確認できる。
また，テレビジョン受像機Ｘが，前記タイムシフト再生画像とともにその録画条件の情報ｄ１〜ｄ３も併せて前記映像表示部５に表示させるので，ユーザは，録画の画質設定や録画先の設定など，録画対象である放送番組の映像以外の録画条件の正誤を容易に確認できる。
また，本発明の実施形態に係るテレビジョン受像機Ｘが，自装置の映像表示部５及びリモコン８をマンマシンインターフェースとして，録画再生装置Ｙにおいて実行中の予約録画の録画条件を変更する機能（Ｓ１０９，Ｓ１１０）を備えるので，ユーザは，簡易に録画条件を訂正することができる。
なお，以上に示した実施形態では，テレビジョン受像機Ｘが，録画再生装置Ｙと通信を行う手段及び録画再生装置Ｙから映像信号を入力する手段として，ＨＤＭＩインターフェース（前記ＣＥＣインターフェース２５ｂ及びＨＤＭＩ受信部２ｘａ，２ｙａ）を備えるが，他装置との通信手段及び映像信号の入力手段として他の通信インターフェース及び映像信号入力インターフェースを備えるものも考えられる。
【産業上の利用可能性】
【００３３】
本発明は，テレビジョン受像機などの映像表示装置に利用可能である。
【図面の簡単な説明】
【００３４】
【図１】本発明の実施形態に係る映像表示装置の一例であるテレビジョン受像機Ｘを含むＡＶシステムＺの概略構成を表すブロック図。
【図２】ＡＶシステムＺにおける録画内容確認・変更処理の手順を表すフローチャート。
【図３】テレビジョン受像機Ｘにおける映像表示部の表示画面の一例を表す図。
【符号の説明】
【００３５】
Ｘ    ：テレビジョン受像機
Ｙ    ：録画再生装置
Ｚ    ：ＡＶシステム
１，２１：チューナ
２ｘａ，２ｙａ：ＨＤＭＩ受信部
２ｘｂ，２５ｂ：ＣＥＣインターフェース
３    ：映像切替回路
４    ：映像処理回路
５    ：映像表示部
６，２４：制御回路
７，２６：リモコンインターフェース回路
８，２７：リモコン
９，２８：サブＭＰＵ
１０  ：音声切替回路
１１  ：音声処理回路
１２  ：アンプ
１３  ：スピーカ
２２  ：録画・再生回路
２３ａ：ＨＤＤ
２３ｂ：ＤＶＤドライブ
２５ａ：ＨＤＭＩ送信部
４０  ：ＨＤＭＩケーブル
４１  ：ＴＭＤＳライン
４２  ：ＣＥＣライン
Ｓ１０１，Ｓ１０２，〜：処理手順（ステップ）
【図１】
2008219584.tif 000003
【図２】
2008219584.tif 000004
【図３】
2008219584.tif 000005